(57)【特許請求の範囲】
【請求項１】
血管に圧力を加えるためのカフと、該カフに加圧空気を供給する加圧手段と、前記カフの圧力を減圧する減圧手段と、前記カフ内の圧力を検出するカフ圧検出手段と、前記カフ圧検出手段の検出値に基づいて脈波振幅を検出する脈波検出手段と、前記カフ内の圧力と前記脈波振幅に基づいて血圧値を決定する血圧決定手段とを有する電子血圧計であって、
前記血圧決定手段は、前記脈波検出手段により検出される最大脈波振幅を抽出する最大振幅脈波検出手段と、前記最大脈波振幅から一定割合減じた血圧値を決定する脈波振幅レベルを算出し、前記脈波振幅レベルを境にして、一方の側の測定値から１または複数個を第一の測定値群として選択するとともに、他方の側の測定値から複数個を第二の測定値群として選択し、前記第一の測定値群のいずれか１点と、前記第二の測定値群のいずれか１点とを結ぶ直線の組合せのうち２本以上を複数の補間一次式として算出する脈波振幅一次式算出手段とを有し、前記複数の補間一次式のそれぞれについて前記脈波振幅レベルに対応するカフ圧に基づき、血圧値を算出することを特徴とする電子血圧計。
【請求項２】
前記血圧決定手段は、前記複数の補間一次式のそれぞれについて前記脈波振幅レベルに対応するカフ圧を求め、該カフ圧を平均することによって血圧値を算出することを特徴とする請求項１に記載の電子血圧計。
【請求項３】
前記脈波振幅一次式算出手段は、前記脈波振幅レベルを境にして、一方の側の測定値から２点を第一の測定値群として選択するとともに、他方の側の測定値から２点を第二の測定値群として選択し、前記第一の測定値群のいずれか１点と、前記第二の測定値群のいずれか１点とを結ぶ直線の組合せのうち４本を補間一次式として算出することを特徴とする請求項１または２に記載の電子血圧計。
【発明の詳細な説明】
【技術分野】
【０００１】
本発明は、電子血圧計、特にノイズの影響を低減し正確な血圧値を算出する電子血圧計に関する。
【背景技術】
【０００２】
血圧の測定方法としてコロトコフ法（聴診法）とオシロメトリック法が知られている。
【０００３】
オシロメトリック法による血圧計には、減圧する過程で測定する方式である減圧測定型血圧計、加圧する過程で測定する方式である加圧測定型血圧計がある。
【０００４】
減圧測定型血圧計の測定原理は、人体の上腕等に巻きつけたカフにポンプ等の加圧手段により空気を送った後に、排気により徐々に減圧し、減圧の過程でカフ内の圧力を検出して、動脈波の脈波振幅と残りの静圧を抽出し、脈波振幅の最大値に所定比率を乗じて最高血圧および最低血圧をそれぞれ決定するための脈波振幅のレベルを設定し、これによりそれぞれ脈波を特定し、特定された脈波に基づき最高血圧および最低血圧を決定する。
【０００５】
図９および図１０はその具体的な方法を説明するための図であり、減圧測定型血圧計のカフ内の圧力の変化を示している。図９は時間（横軸）とカフ内の圧力（縦軸）の関係を示す図であり、図１０は図９から抽出したカフ内の圧力（横軸）と脈波振幅（縦軸）の関係を示す図である。
【０００６】
上述のように、上腕等に巻きつけたカフ内の圧力を加圧して上昇させた後、徐々に排気して低下させると図９に示すようにカフ内の圧力は脈動する成分すなわち脈波を生ずる。この脈波の高さはカフ内の圧力（カフ圧）が低下するに従って増加し、最大脈波振幅Ｈｍａｘとなった後には減少する。したがって、図９のグラフで最初に検出される脈波はカフ圧が高い方の脈波であり、時間が経過するにつれて検出される脈波のカフ圧は小さくなっていく。
【０００７】
したがって、これをグラフ化すると図１０のようになる。
同図において、最大脈波振幅Ｈｍａｘとなる前の脈波に対し、最大脈波振幅Ｈｍａｘの５０％となる脈波振幅に対応するカフ圧をいわゆる「最高血圧」とし（以下、当該ポイントを「Ｓ」点と称する）、また、最大脈波振幅Ｈｍａｘとなった後の脈波に対し最大脈波振幅Ｈｍａｘの７０％となる脈波振幅に対応するカフ圧をいわゆる「最低血圧」とする（以下、当該ポイントを「Ｄ」点と称する）。ただし、上記の「最高血圧」に関する「５０％」あるいは「最低血圧」に対する「７０％」という割合は、血圧計の設計条件などにより変わり得る。
【０００８】
ところで、上記のような血圧の測定方法においては、Ｓ点あるいはＤ点にカフ圧の測定値が存在しない場合がある。かかる場合には、測定値から直接最高血圧・最低血圧を読み取れない。
【０００９】
そのような問題に対応可能な先行技術として、特許文献１の電子血圧計がある。同文献では、Ｓ点またはＤ点に相当する点の両側直近に１ポイントずつ測定値を選択し、それら２ポイントを結ぶ１次式を算出し、その１次式とＳ点またはＤ点の脈波振幅との交点から最高血圧または最低血圧のカフ圧を読み取っている。つまり、Ｓ点またはＤ点を求めるにあたって、脈波振幅をいわば補間することにより、上記の問題に対応可能となっている。
【先行技術文献】
【特許文献】
【００１０】
【特許文献１】特公平６−１０９号公報
【発明の概要】
【発明が解決しようとする課題】
【００１１】
しかしながら、測定中に測定者の身体が動いた場合や、減圧過程でカフの血管圧迫効率が変化した場合には、局所的なノイズが発生し、Ｓ点またはＤ点をまたぐ２ポイント自体の測定値が不正確になる場合がある。この場合当然ながら、補間された点は真値からずれ、最高血圧あるいは最低血圧の正確な算出ができなくなる可能性があった。
【００１２】
また、使用者が１日のうちの測定時刻などを決めて継続的に測定するような場合、上記のような原因により測定した血圧値が変動してばらつくと、使用者は血圧計に不具合があるのではないかと危惧し、不安感を抱く。
【００１３】
したがって、引用文献１においても、精度よく最高血圧あるいは最低血圧を算出するという点において改善の余地があった。
【００１４】
本発明は、以上のような背景技術に鑑みてなされたものであり、オシロメトリック法によって血圧を算出する電子血圧計において、検出された脈波振幅に対する補間の精度を向上させ、最高血圧・最低血圧の正しい測定結果を使用者に提供することができ、また、測定値のばらつきを小さくすることにより、使用者の不安感を解消することのできる電子血圧計および電子血圧計を用いた血圧の測定方法を提供することを目的としている。
【課題を解決するための手段】
【００１５】
上述した課題を解決するため、本発明の電子血圧計は、血管に圧力を加えるためのカフと、カフに加圧空気を供給する加圧手段と、カフの圧力を減圧する減圧手段と、カフ内の圧力を検出するカフ圧検出手段と、カフ圧検出手段の検出値に基づいて脈波振幅を検出する脈波検出手段と、カフ内の圧力と脈波振幅に基づいて血圧値を決定する血圧決定手段と
を有する電子血圧計であって、血圧決定手段は、脈波検出手段により検出される最大脈波振幅を抽出する最大振幅脈波検出手段と、最大脈波振幅から一定割合減じた血圧値を決定する脈波振幅レベルを算出し、脈波振幅レベルを境にして、一方の側の測定値から１または複数個を第一の測定値群として選択するとともに、他方の側の測定値から複数個を第二の測定値群として選択し、第一の測定値群のいずれか１点と、第二の測定値群のいずれか１点とを結ぶ直線の組合せのうち２本以上を複数の補間一次式として算出する脈波振幅一次式算出手段とを有し、複数の補間一次式のそれぞれについて脈波振幅レベルに対応するカフ圧に基づき、血圧値を算出することを特徴とする。
【００１６】
本発明によれば、脈波振幅レベルに応じて３点以上の測定点を抽出して、それら測定点から複数本の補間式を算出し、該複数本の補間式と血圧決定脈波レベルから最高血圧・最低血圧を算出するようにしたので、血圧測定における局所的なノイズの影響を低減することができ、正しい測定値を得ることができる。その結果、測定ごとの血圧値のばらつきも小さくなる。
【００１７】
好ましくは、血圧決定手段は、複数の補間一次式のそれぞれについて脈波振幅レベルに対応するカフ圧を求め、カフ圧を平均することによって血圧値を算出する。
【００１８】
この場合、複数本の補間式から求めた複数の補間値を平均して最高血圧・最低血圧を算出するようにしたので、血圧測定における局所的なノイズの影響を低減することができ、正しい測定値を得ることができる。その結果、測定ごとの血圧値のばらつきも小さくなる。
【００１９】
また好ましくは、脈波振幅一次式算出手段は、前記脈波振幅レベルを境にして、一方の側の測定値から２点を第一の測定値群として選択するとともに、他方の側の測定値から２点を第二の測定値群として選択し、前記第一の測定値群のいずれか１点と、前記第二の測定値群のいずれか１点とを結ぶ直線の組合せのうち４本を補間一次式として算出する。
【発明の効果】
【００２１】
本発明の電子血圧計および血圧の測定方法によれば、検出された脈波振幅に対する補間の精度を向上させ、最高血圧・最低血圧の正しい測定結果を使用者に提供することができ、また、測定値のばらつきを小さくすることにより、使用者の不安感を解消することができる。
【図面の簡単な説明】
【００２２】
【図１】本発明の第１の実施形態にかかる電子血圧計の機能ブロック図である。
【図２】図１における要部の機能ブロック図である。
【図３】本発明の第１の実施形態にかかる最高血圧・最低血圧算出のフローチャートである。
【図４】本発明の第１の実施形態にかかる最高血圧・最低血圧算出におけるカフ圧と脈波振幅の関係を示すグラフで、選択された測定点が示されている。
【図５】本発明の第１の実施形態にかかる血圧算出におけるカフ圧と脈波振幅の関係を示すグラフで、測定点を接続する２本の近似線が示されている。
【図６】図５における要部のグラフである。
【図７】本発明の第２の実施形態にかかる血圧算出におけるカフ圧と脈波振幅の関係を示すグラフで、測定点を接続する４本の近似線が示されている。
【図８】図７における要部のグラフである。
【図９】減圧測定型血圧計の時間−カフ圧の関係を説明するためのグラフである。
【図１０】カフ圧−脈波振幅のグラフから、最高血圧・最低血圧を求める方法を説明するための図である。
【発明を実施するための形態】
【００２３】
以下、本発明の各実施形態について図面を参照しながら説明する。
【００２４】
まず、図１および図２を参照して、本発明の実施形態にかかる電子血圧計１００の構成を説明する。
【００２５】
図１に示す電子血圧計１００は、カフ１と、カフ圧調整手段３と、圧力信号変換手段４と、操作手段５と、制御手段６及び表示手段７を有している。
【００２６】
カフ１は、被験者の上腕に圧力をかけて被験者の血管を締め付けるための袋であって、チューブ２によってカフ圧調整手段３と圧力信号変換手段４に接続されている。
【００２７】
カフ圧調整手段３は、カフ１に空気を送り、被験者の上腕に圧力を加えるための加圧ポンプ３ａと、カフ１内の空気を排出するための排気弁３ｂと、カフ内の空気圧を一定速度で低下させる減圧弁３ｃとによって構成されている。
【００２８】
圧力信号変換手段４は、カフ１内の圧力を検出し電気信号に変換する。加圧ポンプ３ａと、排気弁３ｂ及び圧力信号変換手段４は、それぞれ制御手段６に接続されている。また、制御手段６には操作手段５と、表示手段７と、ブザー８が接続されている。
【００２９】
図２に示すように、制御手段６は、図示しないＣＰＵ及びＲＯＭ，ＲＡＭ等の記憶手段を有するとともに、脈波検出手段６１とカフ圧検出手段６２及び血圧決定手段６３を有している。ここで、脈波検出手段６１は、圧力信号変換手段４からの圧力信号にもとづいて脈波を検出し脈波振幅の大きさを検出する。また、カフ圧検出手段６２は、圧力信号変換手段４からの圧力信号にもとづいてカフ圧を検出する。さらに、血圧決定手段６３は、脈波検出手段６１及びカフ圧検出手段６２からの信号を入力し、脈波振幅と、この脈波振幅に対応するカフ圧によって血圧を決定する。
【００３０】
つぎに、図１および図２を参照して、本実施形態にかかる電子血圧計１００の動作を説明する。
【００３１】
この電子血圧計においては、操作者が、被験者の血管を締め付けることができるように被検者の上腕にカフ１を装着し、操作手段５を操作して電源を投入する。制御手段６は、電源の投入により、圧力信号変換手段４にカフ１内の圧力検出を開始させて圧力信号を出力させる。
【００３２】
また、制御手段６は、操作手段５により血圧測定開始が指令されると、加圧ポンプ３ａを始動させてカフ１に空気を送り、ついで、カフ１内の圧力が、ＲＡＭに記憶されている加圧設定値に達すると加圧ポンプ３ａを停止させ、続いて、減圧弁３ｃによりカフ１内の空気を徐々に排出し減圧させる。
【００３３】
減圧にともないカフ１内の圧力が下がり、被験者の血管がゆるめられ血液が流れ始める。
血管がゆるめられ、最高血圧に近づくと血管は振動を開始するため、脈波検出手段６１は、心拍に連動して脈波振幅を検出する。脈波振幅はカフ圧の低下と共に徐々に大きくなり、カフによって圧迫されていた血管がゆるめられて本来の血液の流れに戻ったとき、脈波振幅は急速に小さくなり検出されなくなる（図４参照）。
【００３４】
血圧決定手段６３は、本実施形態にかかる血圧の測定方法にしたがい、カフ圧の低下にともなって変化する脈波振幅と、この変化していく脈波振幅に対応するカフ圧により血圧を決定する。
【００３５】
（第１の実施形態）
つづけて、図２ないし図６を参照して、第１の本実施形態にかかる電子血圧計１００の血圧決定手段６３の詳細について説明する。
【００３６】
図２を参照して、血圧決定手段６３は、最大振幅脈波検出手段６３ａ、測定点抽出手段６３ｂ、脈波振幅一次式算出手段６３ｃ、血圧値算出手段６３ｄより構成されている。
【００３７】
図３を併せて参照し、脈波検出手段６１より脈波振幅の検出データを受け取った最大振幅脈波検出手段６３ａは、当該データから最大振幅脈波Ｈｍａｘ（ｍｍＨｇ）を抽出する（Ｓ３０２）。
【００３８】
ここで、Ｈｍａｘから最高血圧「ＳＢＰ」（Ｓｙｓｔｏｌｉｃ  Ｂｌｏｏｄ  Ｐｒｅｓｓｕｒｅ）、および、最低血圧「ＤＢＰ」（Ｄｉａｓｔｏｌｉｃ  Ｂｌｏｏｄ  Ｐｒｅｓｓｕｒｅを算出するための比率（図１０における０．５あるいは０．７に相当）を、それぞれ最高血圧決定比率α、最低血圧決定比率β、また、ＳＢＰおよびＤＢＰを算出するための血圧を決定する脈波振幅レベルをそれぞれＨｓ＝Ｈｍａｘ×α、Ｈｄ＝Ｈｍａｘ×βと定義する。α、βの具体的な値は、例えばそれぞれ０．５、０．７とすることができる
。
【００３９】
これらの変数と測定した血圧データとの関係を図示したのが図４である。同図において横軸はカフ圧Ｐｃ、縦軸は脈波振幅Ｈであり、点線で測定点に対する包絡線も示している。符号ＡないしＤは、特定の測定点を示している。
【００４０】
図４において、ＳＢＰを例にとった場合、包絡線とＨ＝Ｈｓの交点に測定点があれば、その測定点のカフ圧を最高血圧ＳＢＰとするのが理想的といえるが、当該交点には測定点が存在しない。この場合、他の測定点を基に補間して求める方法が考えられ、従来は、Ｈｓの前後の測定点Ａと測定点Ｂとから一次式を求め、この一次式とＨ＝Ｈｓの直線との交点からＳＢＰを求めていた。
【００４１】
しかしながら、この方法では、測定点Ａあるいは測定点Ｂにノイズなどの外乱が重畳されると、当該交点はＳＢＰの真値から外れた値となってしまう。図４では、例えば測定点Ｂが予測される包絡線から脈波振幅の小さい方向にずれた測定値となっている場合を示している。
【００４２】
本実施形態は、そのような問題を避けるため、カフ圧−脈波振幅の関係をプロットしたグラフにおいて、直線Ｈ＝Ｈｓ（Ｈ＝Ｈｄ）の直線をまたいで上下直近の１点ずつに加えて、その２点の前または後に測定された１点を選択し、上下に位置する２点および１点のそれぞれを接続する計２本の直線を求め、これらの直線とＨ＝Ｈｓ（Ｈ＝Ｈｄ）の交点を算出して、該交点から２点の最高血圧補間値（最低血圧補間値）を求め、これら補間値の平均値を最高血圧ＳＢＰ（最低血圧ＤＢＰ）と決定することを趣旨としている（図４、図５参照）。
【００４３】
ふたたび図２、図３を参照して、Ｈｍａｘを受け取った測定点抽出手段６３ｂは、Ｈｍａｘにα、βを乗算してＨｓ，Ｈｄを算出する（Ｓ３０４）。
【００４４】
そして、Ｈ＝ＨｓおよびＨ＝Ｈｄの直線をまたいで上下直近の１点ずつに加えて、その２点の前または後に測定された１点を、補間一次式を求める測定点として抽出する（Ｓ３０６）。
【００４５】
以下の説明では最高血圧を測定する場合の、本実施形態による血圧算出方法を説明するが、最低血圧も同様の方法で算出することができる。
【００４６】
図４を参照して、本実施形態では、補間一次式を求める測定点として、Ｈ＝Ｈｓの上側直近にＡの１点、および、下側直近にＢ，Ｄの２点を選択した場合を示している。
【００４７】
つづけて図２、図３および図５を参照して、脈波振幅一次式算出手段６３ｃは、上側１点Ａと、下側２点ＢとDを組み合わせて、補間するための補間一次式を（１）式を用いて算出する。
Ｈ＝ａ×Ｐｃ＋ｂ  ・・・  （１）
ここで、ａ，ｂは係数であり、脈波振幅一次式算出手段６３ｃは、Ａ、ＢおよびＤの座標データからこの係数を求める。
【００４８】
補間一次式は、図５に示すように、点Ａと点Ｂとの組合せからＬ１、点Ａと点Ｄとの組合せからＬ２の２式を求める（Ｓ３０８）。
【００４９】
つぎに、上記２式を受け取った血圧値算出手段６３ｄは、それぞれの式とＨ＝Ｈｓの交点２個を算出する（Ｓ３１０）。具体的には、図５において、補間直線Ｌ１およびＬ２に
対してＨ＝Ｈｓとの交点Ｐ１およびＰ２を算出する。
【００５０】
つぎに、血圧値算出手段６３ｄは、交点Ｐ１およびＰ２から、それぞれの点におけるカフ圧Ｐｃｓ１およびＰｃｓ２を求め、それらの平均値を最高血圧＜ＳＢＰ＞として決定する（Ｓ３１２、Ｓ３１４）。すなわち、
＜ＳＢＰ＞＝（Ｐｃｓ１＋Ｐｃｓ２）／２  ・・・  （２）
である。
【００５１】
図５において、＜ＳＢＰ＞に対応するＨ＝Ｈｓ上の点をＰ０として示しており、Ｐ０からＰｃ軸上に下した垂線に＜ＳＢＰ＞を示している。
【００５２】
ここで、図６を参照して本実施形態の電子血圧計の作用について説明する。
先述したように、本実施形態では、血圧の測定点Ｂが他の測定点から予測される包絡線からずれた場合を例示している。すなわち、測定点ＢのＰｃに対応する包絡線上の点はＢ’で、測定点Ｂはノイズ等の影響で、それより低い脈波振幅となっている。
【００５３】
この場合、最高血圧ＳＢＰの真値ＳＢＰ０は、測定点Ｂ’と測定点Ｄを結ぶ直線と直線Ｈ＝Ｈｓとの交点に近い位置にあり、補間式を１個だけ用いる場合でも、補間式を求める測定点がＢ’およびＤであれば問題はない。
【００５４】
しかしながら、測定点がＢのケースでは、補間式が１個の場合、選択される測定点はＡおよびＢとなるから、この補間によって得られる最高血圧は交点Ｐ１からＳＢＰ１となる。この場合、測定値ＳＢＰ１と真値ＳＢＰ０との差は、図６に示すΔＰｃ１となる。
【００５５】
一方、本実施形態により求めた最高血圧は、交点Ｐ０から得られる＜ＳＢＰ＞であるから、測定値＜ＳＢＰ＞と真値ＳＢＰ０との差は、図６に示すΔＰｃ２となり、原理的にΔＰｃ２＜ΔＰｃ１である。したがって、本実施形態によれば、補間式を算出する測定点にノイズが乗るなどして本来予測される測定値からずれた場合でも、最高血圧・最低血圧の測定値をより真値に近づけることが可能となる。
【００５６】
つまり本実施形態では、測定点に冗長性をもたせ、ある測定点にノイズが重畳するなどして全体的な包絡線からずれた場合でも、他の包絡線に近い測定点によってそのずれを補正しているということもできる。
【００５７】
最低血圧＜ＤＢＰ＞も、上述の最高血圧＜ＳＢＰ＞と同様に補間して求めることができ、本実施形態の電子血圧計によれば、このようにして算出したより真値に近く誤差の少ない最高血圧・最低血圧を、操作手段５の操作により表示手段７に表示させるなどすることができる。
【００５８】
以上のように本実施形態によれば、複数の補間式から求めた複数の補間値を平均して最高血圧・最低血圧を算出するようにしたので、血圧測定における局所的なノイズの影響を低減することができ、その結果より正しい最高血圧・最低血圧の測定値を使用者に提供することが可能となる。
【００５９】
また、局所的なノイズの影響を低減することで、測定ごとの血圧値のばらつきが小さくなるという効果もある。この場合、血圧値のばらつきが大きいことにより、使用者が血圧計の不具合を危惧するというようなことがなくなり、使用者の血圧計に対する不安を解消することが可能となる。
【００６０】
（第２の実施形態）
図７および図８を用いて、本発明の第２の実施形態にかかる電子血圧計１００について説明する。
【００６１】
本実施形態は、図４に示すカフ圧と脈波振幅の関係において、補間一次式を求める測定点としてＡ、Ｂ、ＣおよびＤを選択した場合、すなわちＨ＝Ｈｓの上側直近にＡ、Ｃの２点、下側直近にＢ、Ｄの２点を選択した場合の実施形態である。
【００６２】
本実施形態の最高血圧・最低血圧算出のフローチャートは、図３において、補間一次式を求める測定点の数を３点から４点に読み替え（Ｓ３０６）、脈波振幅一次式数を２式から４式に読み替え（Ｓ３０８）たものとなる。
【００６３】
読み替えた図３のフローにしたがって、脈波振幅一次式算出手段６３ｃは、Ａ、Ｂ、ＣおよびＤの座標データから式（１）の係数ａ，ｂを求め、図７に示すように、点Ａと点Ｂとの組合せからＬ１、点Ａと点Ｄとの組合せからＬ２、点Ｃと点Ｂとの組合せからＬ３、点Ｃと点Ｄとの組合せからＬ４の４式を求める（Ｓ３０８）。
【００６４】
つぎに、上記４式を受け取った血圧値算出手段６３ｄは、それぞれの式とＨ＝Ｈｓの交点４個を算出する（Ｓ３１０）。具体的には、図７において、補間直線Ｌ１ないしＬ４に対してＨ＝Ｈｓとの交点Ｐ１ないしＰ４を算出する。
【００６５】
つぎに、血圧値算出手段６３ｄは、交点Ｐ１ないしＰ４から、それぞれの点におけるカフ圧Ｐｃｓ１ないしＰｃｓ４を求め、それらの平均値を最高血圧＜ＳＢＰ＞’として決定する（Ｓ３１２、Ｓ３１４）。すなわち、
＜ＳＢＰ＞’＝（Ｐｃｓ１＋Ｐｃｓ２＋Ｐｃｓ３＋Ｐｃｓ４）／４  ・・・  （３）
である。
【００６６】
図７において、＜ＳＢＰ＞’に対応するＨ＝Ｈｓ上の点をＰ０’として示しており、Ｐ０’からＰｃ軸上に下した垂線に＜ＳＢＰ＞’を示している。
【００６７】
図８は、図６と同様に、上記＜ＳＢＰ＞’、真値ＳＢＰ０、１個の補間式から求めた最高血圧ＳＢＰ１の関係を示す。
【００６８】
図８より、＜ＳＢＰ＞’と真値ＳＢＰ０との差ΔＰｃ２’は、ＳＢＰ１と真値ＳＢＰ０との差ΔＰｃ１より小さいことが分かる。
したがって、本実施形態によっても、補間式を算出する測定点にノイズが乗るなどして本来予測される測定値からずれた場合でも、最高血圧・最低血圧の測定値をより真値に近づけることが可能となるとともに、補間一次式を第１の実施形態より多数とすることにより、測定値をより真値に近づけることが可能となる。
【００６９】
なお、上記実施形態においては、補間一次式を求める測定点として、血圧値を決定する脈波振幅レベルの直線Ｈ＝Ｈｓ（Ｈ＝Ｈｄ）の前後に測定された測定点を２点ずつの計４点を選択し、４本の直線による４個の交点から血圧値を求める場合を例示して説明したが、血圧値を決定する脈波振幅レベルの前後それぞれ２点以上の測定点を選択してもよい。
【００７０】
その場合、血圧値を決定する脈波振幅レベルの前に測定された測定点の選択数をＭ、血圧値を決定する脈波振幅レベルの後に測定された測定点の選択数をＮとすると、直線の本数はＭ×Ｎ本となる。このようにすれば、測定値をさらに正確なものとすることができる。例えば、直線Ｈ＝Ｈｓ（Ｈ＝Ｈｄ）の上下直近に上に３個、下に２個選択した場合補間一次式は６本となる。
【００７１】
さらには、補間一次式を求める測定点の選択は、直線Ｈ＝Ｈｓ（Ｈ＝Ｈｄ）直近である必要もなく、あらかじめ定めた規則により直近を飛ばして選択してもよい。
【００７２】
また、あらかじめ定めた個数の測定点のうち、測定条件等に応じて適宜一部を選択してもよく、補間一次式は血圧値を決定する脈波振幅レベルの前に測定された測定点と後ろに測定された測定点から算出すればよい。
【符号の説明】
【００７３】
１      カフ
２      チューブ
３      カフ圧調整手段
３ａ    加圧ポンプ
３ｂ    排気弁
３ｃ    減圧弁
４      圧力信号変換手段
５      操作手段
６      制御手段
７      表示手段
８      ブザー
６１    脈波検出手段
６２    カフ圧検出手段
６３    血圧決定手段
６３ａ  最大振幅脈波検出手段
６３ｂ  測定点抽出手段
６３ｃ  脈波振幅一次式算出手段
６３ｄ  血圧値算出手段
１００  電子血圧計
【図１】
0005730749.tif 000002
【図２】
0005730749.tif 000003
【図３】
0005730749.tif 000004
【図４】
0005730749.tif 000005
【図５】
0005730749.tif 000006
【図６】
0005730749.tif 000007
【図７】
0005730749.tif 000008
【図８】
0005730749.tif 000009
【図９】
0005730749.tif 000010
【図１０】
0005730749.tif 000011